(57)【要約】【課題】天井、壁面の吹付けアスベストを、飛散防止剤の吹き付けを要さずに、簡単に効率よく剥離、搬送することができる、比較的簡単かつ軽量でハンドリングが容易な手持ち式のアスベスト除去機を提供する。【解決手段】手持ち操作部８を有する吸引管６の先端部にアスベスト吹付け面に弾性的に接するフード７ａを先端に有するカップ状ないし如雨露状の剥離器７，７´を設けており、前記剥離器に挿着され噴射軸線が剥離器開口位置よりも先方で交わる角度を持った複数のミスト噴射ノズル１４と、前記吸引管６の適所に固定されたミスト生成器１２と、前記吸引管６の外面長手方向に沿って配され、先端が前記各ミスト噴射ノズル１４，１４に接続され、後端が前記ミスト生成器出口側に接続されたミスト圧送導管１３，１３と、前記ミスト生成器１２の入口側に接続され後端がエアコンプレッサ４に接続された圧縮エア供給配管１１，１６を備え、前記ミスト生成器１２は軸線方向の圧縮エア流路と交差する関係で液体供給配管が接続されたエジェクタ部を備え、前記手持ち操作部８とその付近には、前記ミスト生成器１２に対する圧縮エアの供給制御機構１０を設けた。【選択図】図３
0003129390.tif 000002
【実用新案登録請求の範囲】
【請求項１】
後半位置に手持ち操作部８を有する吸引管６と、該吸引管６の先端部に位置し、アスベスト吹付け面に弾性的に接するフード７ａを先端に有するカップ状ないし漏斗状の剥離器７，７´と、前記剥離器に挿着され噴射軸線が剥離器開口位置よりも先方で交わる角度を持った複数のミスト噴射ノズル１４と、前記吸引管６の適所に固定されたミスト生成器１２と、前記吸引管６の外面長手方向に沿って配され、先端が前記各ミスト噴射ノズル１４，１４に接続され、後端が前記ミスト生成器出口側に接続されたミスト圧送導管１３，１３と、前記ミスト生成器１２の入口側に接続され後端がエアコンプレッサ４に接続された圧縮エア供給配管１１，１６を備え、前記ミスト生成器１２は軸線方向の圧縮エア流路と交差する関係で液体供給配管１７が接続されたエジェクタ部を備え、前記手持ち操作部８とその付近には、圧縮エアの供給制御機構１０を設けたことを特徴とするアスベスト除去機。
【請求項２】
剥離器が、ストレートな接続用管部を有する剥離器７´と、エルボ付きの接続用管部を有する剥離器７の２種からなり、吸引管６の先端に対して着脱可能に連結されるようになっている請求項１に記載のアスベスト除去機。
【請求項３】
吸引管６が水平管部６００と斜管部６０１を有するY状分岐管６ａを先端部に備え、ストレートな接続用管部を有する剥離器７´が前記水平管部６００と斜管部６０１に選択的に接続されるようになっている請求項１に記載のアスベスト除去機。
【請求項４】
前記制御機構１０が、開閉弁１０ａと、これを作動させるため手持ち操作部８に設けられたトリガー付きパイロット弁１０ｄを有し、トリガーの操作時のみミスト生成器１２への圧縮エアの供給が行われるようになっている請求項１〜３のいずれかに記載のアスベスト除去機。
【請求項５】
圧縮エア配管の一部にアキュームレータ１６ａが介在している請求項１〜４のいずれかに記載のアスベスト除去機。
【請求項６】
前記アキュームレータ１６ａは太径で所要長さの膨張性ホースからなる請求項に記載のアスベスト除去機。
【考案の詳細な説明】
【技術分野】
【０００１】
本考案はアスベスト除去機に関する。
【背景技術】
【０００２】
アスベストは蛇紋岩などから取れる微細な鉱物繊維であり、吸音、断熱、防結露などの目的で、鉄骨材の耐熱被覆、機械室、空調機械室、学校の教室、実験室、音楽室、体育館などにおいて、建設資材として盛んに吹付け施工されていた。
【０００３】
しかし、アスベストは、通常の環境下では半永久的に分解・変質せず、地表に沈降した場合でも容易に粉塵として舞い上がり、長い間一般環境に留まる。そして、空気中に浮遊するアスベストを吸引することにより、健康に重大な障害を生じさせることが明らかになっている。
【０００４】
こうしたことから、アスベスト及びアスベスト含有物を除去することが義務付けられ、安全性を確保するため、粉塵化・飛散を防止するためプラスチックシートで作業区域内を隔離、減圧し、飛散防止剤を塗布してアスベストを湿潤させ、作業員は足元まで防護服を着用し、防塵マスクを着用することが義務付けられている。
【０００５】
しかし、問題となるのは、吹付けアスベストの剥離作業であり、従来ではこれを効率よく簡易に行える器具がないため、飛散防止剤をポンプで圧送してスプレーで吹き付けてアスベストを湿潤させ、次いで、スクレーパ、ワイヤブラシなどの治具を使用した手作業で剥ぎ取ることで行われていた。
このため、作業性が悪く、天井等の高所は仮設足場上で両手を使って剥ぎ取る操作となるので過酷な労働が要求され、また、床に落としたアスベスト片を掃除機で吸引排出する別作業が必要となるので、安全性でも問題が多かった。
【０００６】
この対策として、従来、アスベスト層を表面に有する天井などに階段状に拡大したカバーを当接させ、該カバーの中心部にアスベスト層に高圧液を噴射するジェット機構を設け、剥離し湿潤したアスベストと液の泥状混合物をカバー内に溜めつつ、それをポンプを介してカバー外部に吸引し、液分離機に導いて処理するようにした装置が知られている。
【０００７】
しかし、この先行技術は、高圧水をカバー内の中心一点に噴射することでアスベストの剥離を行うので、剥離効率が芳しくない点、高圧水を導入して噴射し、アスベスト片とともにカバー内に溜めるのでカバーが大型になると共に重くなり、作業員がハンドリングするには非常に重労働となり、短時間で交代を余儀なくされる点、ジェットポンプといった特殊な機器を使用するので、装置が高価となる点などに問題があった。そのため、実際には前記したようなスクレーパ、ワイヤブラシなどの治具を使用した手作業で行わざるを得なかった。
【特許文献１】特許第２７０７２７６号
【考案の開示】
【考案が解決しようとする課題】
【０００８】
本考案は前記のような問題点を解消するためになされたもので、その目的とするところは、天井、壁面の吹付けアスベストを、飛散防止剤の吹き付けを要さずに、簡単に効率よく剥離、搬送することができる、比較的簡単かつ軽量でハンドリングが容易な手持ち式のアスベスト除去機を提供することにある。
【課題を解決するための手段】
【０００９】
上記目的を達成するため本考案のアスベスト除去機は、後半位置に手持ち操作部を有する吸引管と，該吸引管の先端部に位置し、アスベスト吹付け面に弾性的に接するフードを先端に有するカップ状ないし漏斗状の剥離器と、前記剥離器に挿着され噴射軸線が剥離器開口位置よりも先方で交わる角度を持った複数のミスト噴射ノズルと、前記吸引管の適所に固定されたミスト生成器と、前記吸引管の外面長手方向に沿って配され、先端が前記各ミスト噴射ノズルに接続され、後端が前記ミスト生成器出口側に接続されたミスト圧送導管と、前記ミスト生成器の入口側に接続され後端がエアコンプレッサに接続された圧縮エア供給配管を備え、前記ミスト生成器は軸線方向の圧縮エア流路と交差する関係で液体供給管が接続されたエジェクタ部を備え、前記手持ち操作部とその付近には、前記圧縮エアの供給制御機構を設けたことを特徴としている。
【考案の効果】
【００１０】
本考案によれば、吸引管の手持ち操作部を掴んで吸引管先端の剥離器をアスベスト吹付け面に当てるもので、高圧の圧縮エアがミスト生成器を通過する際に生ずる負圧で液体が圧縮エアに混合され、気液が混合したミストとして複数のミスト噴射ノズルに送られ、そのミストが噴射ノズル剥離器本体輪郭内のアスベスト吹付け面のある範囲に対向関係位置の斜めから衝撃的に吹き付けられるので、該面が湿潤されると同時に当該アスベスト吹付け面部分が確実に引き剥がされる。したがって、効率よい剥離を行える。そして剥離されたアスベスト片は剥離器本体内の負圧により吸引され、吸引機へと搬送され、したがって、作業室内を汚すことがない。
【００１１】
吸引管はアルミニウム系金属を用いることができ、かつ、液体だけをジェット流として導入することによる重量増や、剥離器内に泥状物を溜めることによる重量付加がないので、軽量でハンドリング性がよいものとなり、手持ち操作部を把持してバズーカ砲のように持って対象面に沿って軽快に移動して剥離作業を行うことができる。
また、エジェクタによりミストを生成させるので、ジェットポンプなどのポンプ類も要さず、安価なシステムとすることができるなどのすぐれた効果が得られる。
【考案を実施するための最良の形態】
【００１２】
剥離器が、ストレートな接続用管部を有する剥離器と、エルボ付きの接続用管部を有する剥離器の２種からなり、吸引管の先端に対して着脱可能に連結されるようになっている。
これによれば、手持ち操作部を含む吸引パイプ、ミスト生成器、ミスト圧送導管、圧縮エア供給管、制御機構が共用部分となるので、一機で天井と壁のアスベスト剥離を行え、経済的である。
【００１３】
吸引管が水平管部と斜管部を有するＹ状分岐管を先端部に備え、ストレートな接続用管部を有する剥離器が前記水平管部と斜管部に選択的に接続されるようになっている。
これによれば、手持ち操作部を含む吸引パイプ、ミスト生成器、ミスト圧送導管、圧縮エア供給管、制御機構が共用部分となるうえに、剥離器も一種類で足り、一機で天井と壁のアスベスト剥離を行えるので、非常に経済的である。
【００１４】
前記制御機構が、開閉弁と、これを作動させるため手持ち操作部に設けられたトリガー付きパイロット弁を有し、トリガーの操作時のみミスト生成器への圧縮エアの供給が行われるようになっている。
これによれば、手持ち操作部を把持して吸引パイプを剥離対象面に向けながら気液混合ミストの送給及び停止を自在に行えるので、ハンドリング性がよいものとなる。
【００１５】
圧縮エア配管の一部にアキュームレータが介在している。
これによれば、前記トリガー付きパイロットバルブを操作しないときには、開閉弁が閉じられ、コンプレッサからの圧縮エアのミスト生成器に対する供給が止められてアキュームレータが蓄圧し、トリガー付きパイロットバルブを操作したときに、蓄圧した圧縮エアをコンプレッサからの圧縮エアに加えて瞬間的に多量供給するので、前記複数の噴射ノズルによる衝撃的剥離力を一層強めることができる。
前記アキュームレータは太径の膨張性ホースからなる。
これによれば、簡単で安価な構造でアキュームレータを構成できる。
【実施例１】
【００１６】
以下添付図面を参照して本考案の実施例を説明する。
図１と図２は本考案によるアスベスト除去機の使用例を示しており、Rは除去対象の吹付けアスベストが付着されている室などの作業区域であり、外部とはプラスチックフィルムで隔離され、かつ減圧されている。Cは吹付けアスベスト層Ａを有する天井面、Wは吹付けアスベスト層Ａを有する壁面である。
【００１７】
１は本考案によるアスベスト除去機であり、前記作業区域Rにおいて作業員が手持ちして除去作業を行っている。２はサイクロン集塵機などからなる一次分離機で、前記作業区域Ｒ内に配置されている。
３は前記一次分離機２に接続された吸込みファンとフィルター集塵機などからなる二次分離機で、前記作業区域Ｒ外に配置されている。  ４はエアコンプレッサであり、前記作業区域Ｒ外に配置されている。  ５は水あるいはこれに飛散防止用の薬剤類を添加した液のタンクであり、前記作業区域Ｒ内に配置されている。
【００１８】
図３ないし図７は本考案アスベスト除去機の第１実施例を示しており、６はアルミニウムなどの軽量材料で構成された吸引管であり、先端に接続用のテーパー部６１が形成され、後部は肩に掛けあるいは脇に挟むのに適する２０〜４０度程度の角度で傾斜した手元部６０が形成されている。前記手元部６０の後端には前記二次分離機３と接続された除去アスベストの搬送ホース１５が接続されている。
【００１９】
７はアルミニウムなどの軽量材料で構成され、前記吸引管６の先端に接続された剥離器であり、たとえば直径２００ｍｍのカップ状ないしは漏斗状の形状を有し、後端に接続用筒部７０を有している。この例では天井のアスベストを除去するため、接続用筒部７０は６０度程度に曲がったエルボ７１を有している。
【００２０】
８は前記吸引管６の手元部６０から直角方向に延在するように固定されたアーム状の手持ち操作部、９は前記手元部６０から適度に離間した位置の吸引管６に固定された握り柄であり、片手で手持ち操作部８を握ったときに、他方の手で握って前記剥離器７をターゲットに向けやすいように設けられる。
【００２１】
１０は前記手持ち操作部８の近傍の手元部６０と前記手持ち操作部８に配設された制御機構であり、手元部６０には、メインバルブとしての圧縮エア用開閉弁１０ａと、流量調整弁１０ｂと、液供給量調整弁１０ｃとが取り付けられ、流量調整弁１０ｂには前記エアコンプレッサ４からのエア供給ホース１６が接続され、液供給量調整弁１０ｃは細径の液供給ホース１７により前記液タンク５と接続されている。前記圧縮エア用開閉弁１０ａは、ノーマルクローズド型の方向切換え弁からなる。
【００２２】
前記手持ち操作部８には、スイッチ用のパイロット弁１０ｄが内蔵されており、トリガー１００が手持ち操作部８に突出している。前記パイロット弁１０ｄはノーマルクローズド方向切換え弁からなり、ポンプポートにはエア供給ホース１６からの分岐ホース１６０が接続され、アクチュエータポートは前記圧縮エア用開閉弁１０ａのパイロット室に接続されている。
【００２３】
１１は前記圧縮エア用開閉弁の出口側に接続された圧縮エア導管であり、吸引管６の先端方向に延在している。
１２は前記吸引管６の前半部部位に固定されたミスト生成器であり、図６のように、ケーシング１２０に前記圧縮エア導管１１と通ずる細径ノズル１２１が軸線方向に挿着されるとともにこれと直交する関係にて液供給ホース１７（液供給量調整弁１０ｃ以降の剛性管１７ａ）とつながる液導入口１２２が臨むことによりエジェクタ部が構成されている。細径ノズル１２１より下流の拡径通路１２３は分岐接続部に通じ、この分岐接続部に図４のように前記剥離器の側面に沿って延在する２本のミスト圧送導ホース１３，１３がそれぞれ接続されている。
【００２４】
前記剥離器７は開口付近外周から前方にアスベスト面に密接させるゴムなどの弾性材からなる当接用フード７ａが外嵌固定されており、この当接用フード７ａの手前のテーパー筒状部には、開口の中心線ＣＬ上の１８０度対称位置に、それぞれ前記ミスト圧送ホース１３と接続したミスト噴射ノズル１４，１４が挿着されている
【００２５】
それらミスト噴射ノズル１４はこの例では２つであるため、図４と図５のように、噴射軸線が剥離器７の中心線ＣＬ上でかつ剥離器開口位置よりも先方で焦点となり、アスベスト面上では焦点とならない角度たとえば開口線に対し６０度、テーパー面に対して３０度となっており、したがって、アスベスト面上ではハ状の噴射状態となる。
【００２６】
圧縮エア供給ホース１６は、流量調整弁１０ｂに到るまでは非膨張性ホースからなっているが、前記ミスト噴射ノズル１４によるミスト噴射の瞬間的な力を強め、アスベスト剥離効果を高めるために、エアコンプレッサ４の吐出部にいたるまでの位置または範囲に、前記アキュームレータ１６ａを有している。
このアキュームレータ１６ａは市販の専用器などでもよいが、コスト低減を図るべく、好適には、前記非膨張性ホースが３/４インチであればそれよりも相対的に太径(たとえば１〜2インチ)の膨張性ホースを用い、これをエアコンプレッサ４の吐出部から所要長さ設け、あるいはエアコンプレッサ４の吐出部から所要の距離をおいた部分に１〜２ｍ程度介在させている。
【００２７】
なお、壁Ｗのアスベスト層Ａの除去用としては、図８に示すように、ストレートな接続用筒部７０を有する剥離器７´が用いられ、前述した吸引管６の先端に嵌合される。前記吸引管６は各別でもよいが、好適には吸引管６は共用とし、壁用の前記剥離器７´と天井用の前記剥離器７を交換使用する。この場合、ミスト生成器１２からのミスト圧送ホース１３をミスト噴射ノズル１４から取り外し、用いる剥離器のミスト噴射ノズルに接続すればよい。
【実施例２】
【００２８】
図９は本考案の第２実施例を示している。この実施例においては、吸引管６の先端部に、水平管部６００と斜管部６０１を有するY状分岐管６ａを備え、前記図８のストレートな接続用管部７０を有する剥離器７が前記水平管部６００と斜管部６０１に選択的に接続されるようになっている。この例では、剥離器７は斜管部６０１に接続されており、一方の管部(この例では水平管部６００)の開口がゴム栓などの閉鎖部材１８で閉止されている。
その他の構成は第１実施例と同様であるから説明は省略し、同じ部分に同じ符号を付すにとどめる。
【００２９】
なお図示するものは本考案の数例であり、これに限定されるものではない。
１）ミスト生成器１２は混合した液分の分離を抑制するため吸引管６の先端付近に配置しているが、液分の分離を避けられる場合には、手持ち操作部８に近い位置たとえば制御機構１０に近い位置に配置しであってもよい。
２）制御機構１０の流量調整弁１０ｂと液供給量調整弁１０のいずれかまたは双方は吸引管部位でなく、圧縮エア供給ホース１６の途中に介在させてもよい。
【００３０】
３）吸引管６は作業員が手持ちして使用されるのが原則であるが、ＸＹＺ方向に移動可能な架台(ロボット)に搭載することにより、自動ないし半自動でのアスベスト剥離作業にも適用できる。
４)ミスト噴射ノズル１４は、３個以上であってもよくこの場合には等間隔でかつ剥離器開口位置すなわちアスベスト面上では焦点で交わらない角度をもって配置され、それぞれにミスト圧送導管１３が接続される。
【００３１】
実施例の使用法と作用を説明すると、吸引管６に搬送ホース１５を接続し、制御機構１０の流量調整弁１０ａに圧縮エア供給ホース１６を、液供給量調整弁１０ｃに液供給ホース１７をそれぞれ接続することにより準備が完了する。
剥離作業に当たっては、手持ち操作部８を片手で保持し、握り柄９を他の手で掴み、あたかもバズーカ砲を扱うように、剥離器７の開口側（当接用フード）を剥離しようとする天井Ｃのアスベスト層Ａに当てる。これにより、当接用フード７ａが圧縮されて開口で囲まれた領域がシール状態となる。
【００３２】
手持ち操作部８のトリガー１００を操作すれば、パイロット弁１０ｄが開になり、コンプレッサ４から圧縮エア供給ホース１６ａの分岐部を介してエア圧が圧縮エア、用開閉弁１０ａのパイロット室に作用するので、圧縮エア用開閉弁１０ａが開となり、圧縮エア配管１１を通して圧送され、途中のミスト生成器１２を通過する。
このミスト生成器１２中ではノズル１２１により流速が増され、拡大室１２３に放出されることにより負圧が発生し、これにより側方から液が吸引され、霧状になって拡大室１２３でエアと混合され、ミストになる。
【００３３】
このミストは２方に分岐されて、ミスト圧送ホース１３，１３をへてミスト噴射ノズル１４，１４に送られ、それらミスト噴射ノズル１４，１４からアスベスト層方向へと高圧噴射される。なお、ミストの気液混合比は流量調整弁１０ｂと液供給量調整弁１０ｃの開度で調整する。これら弁は手持ち操作部８の近傍にあるので操作が容易である。
【００３４】
前記ミスト噴射ノズル１４，１４は、アスベスト面上で焦点が交わらない角度で対向状にあるので、図５のように、剥離器７の開口輪郭で囲まれている所定面積のアスベスト面Ａ１に対して、高圧ミストの衝撃力が作用して割りを入れ、かつアスベスト層Ａとその下の壁面との間にたとえば４５〜６０度の斜め角度から楔状に打ち込まれる。したがって、非常に効率よく確実にアスベスト層Ａを剥離することができ、しかもアスベスト層Ａはミストに含まれる液粒子により湿潤させられるので、飛散も生じない。
【００３５】
剥離されたアスベスト片とアスベストへの付着で液分がほとんど消費されたエアは、剥離器内に作用している負圧により連続吸引され、吸引管６を通り、搬送ホース１５にて一次分離機２に送入され、ここでサイクロン運動により比重の大きいアスベストを収集する。そして、空気流は二次分離機３に吸引され、浄化され、剥離したアスベストの飛散を生じさせずに処理を行える。
【００３６】
したがって、剥離状態を目視しながら、作業員が剥離器７をアスベスト面に沿って移動することで、連続的に効率よくアスベストの剥離と搬出を行える。
この作業の際に、トリガー１００の押圧を止めれば、パイロット弁１０ｄが閉になり、圧縮エア用開閉弁１２ａのパイロット室にパイロット圧が作用しなくなるので、圧縮エア用開閉弁１２ａが閉じられ、圧縮エアの剥離器７への供給が止められ、これに伴ってミスト生成器１２も作動が停止され、液体は吸引されない。
【００３７】
この圧縮エアの供給停止により、コンプレッサ４から送られる圧縮空気圧でアキュームレータ１６ａ（実施例では太径膨張性ホース）が膨張し、蓄圧する。トリガー１００を再び操作し圧縮エア用開閉弁１０ａを開けば、圧縮エアが流通するとともにアキュームレータ１６ａが収縮し、ここで蓄圧されていた高圧エアが加算されてミスト噴射ノズル１４，１４に送られ、これによりミストは瞬間的に高圧化してアスベスト面に強い衝撃を与える。このため、固着の強いアスベスト層が存しても的確に剥離を行える。
【００３８】
壁Ｗのアスベスト層Ａを剥離除去する場合も同じであるが、第１実施例においては、剥離器７を吸引管６の先端から外し、ストレートな筒部７０を有する剥離器7´と交換して吸引管６に接続すればよい。
これによれば、手持ち操作部８を含む吸引管６、エジェクタ部を有するミスト生成器１２、ミスト圧送ホース１３、１３、制御機構１０が共用部分となるので、一機で天井と壁のアスベスト剥離を行える利点がある。
【００３９】
第２実施例においては、吸引管６が、水平管部６００と斜管部６０１を有するY状分岐管６ａを備えているので、手持ち操作部８を含む吸引パイプ６と一種類の剥離器７´によって天井と壁のアスベスト剥離を行える。
【図面の簡単な説明】
【００４０】
【図１】本考案によるアスベスト除去機を用いて剥離作業を行っている状態を示す概要図である。
【図２】図１の拡大図である。
【図３】天井用に適用したアスベスト除去機の側面図である。
【図４】天井用に適用したアスベスト除去機の平面図である。
【図５】隔離状態を示す部分切欠平面図である。
【図６】ミスト生成器部分の断面図である。
【図７】圧縮エアの制御系を示す回路図である。
【図８】壁用に適用したアスベスト除去機の側面図である。
【図９】本考案の第２実施例を示す部分的側面図である。
【符号の説明】
【００４１】
１  本考案にかかるアスベスト除去機
２、３  集塵機
４  エアコンプレッサ
５  液タンク
６  吸引管
６ａ  Y状分岐管
７  剥離器
８  手持ち操作部
１０  制御機構
１０ａ  開閉弁
１０ｄ  パイロット弁
１００  トリガー 
１２  ミスト生成器
１３  ミスト圧送ホース
１４  ミスト噴射ノズル
１５  吸引ホース
１６  圧縮エア供給ホース
１７  液供給ホース 
６００  水平管部
６０１  斜管部
【図１】
0003129390.tif 000003
【図２】
0003129390.tif 000004
【図３】
0003129390.tif 000005
【図４】
0003129390.tif 000006
【図５】
0003129390.tif 000007
【図６】
0003129390.tif 000008
【図７】
0003129390.tif 000009
【図８】
0003129390.tif 000010
【図９】
0003129390.tif 000011
【手続補正書】
【提出日】平成18年12月5日(2006.12.5)
【手続補正１】
【補正対象書類名】実用新案登録請求の範囲
【補正対象項目名】全文
【補正方法】変更
【補正の内容】
【実用新案登録請求の範囲】
【請求項１】
後半位置に手持ち操作部８を有する吸引管６と、該吸引管６の先端部に位置し、アスベスト吹付け面に弾性的に接するフード７ａを先端に有するカップ状ないし漏斗状の剥離器７，７´と、前記剥離器に挿着され噴射軸線が剥離器開口位置よりも先方で交わる角度を持った複数のミスト噴射ノズル１４と、前記吸引管６の適所に固定されたミスト生成器１２と、前記吸引管６の外面長手方向に沿って配され、先端が前記各ミスト噴射ノズル１４，１４に接続され、後端が前記ミスト生成器出口側に接続されたミスト圧送導管１３，１３と、前記ミスト生成器１２の入口側に接続され後端がエアコンプレッサ４に接続された圧縮エア供給配管１１，１６を備え、前記ミスト生成器１２は軸線方向の圧縮エア流路と交差する関係で液体供給配管１７が接続されたエジェクタ部を備え、前記手持ち操作部８とその付近には、圧縮エアの供給制御機構１０を設けたことを特徴とするアスベスト除去機。
【請求項２】
剥離器が、ストレートな接続用管部を有する剥離器７´と、エルボ付きの接続用管部を有する剥離器７の２種からなり、吸引管６の先端に対して着脱可能に連結されるようになっている請求項１に記載のアスベスト除去機。
【請求項３】
吸引管６が水平管部６００と斜管部６０１を有するY状分岐管６ａを先端部に備え、ストレートな接続用管部を有する剥離器７´が前記水平管部６００と斜管部６０１に選択的に接続されるようになっている請求項１に記載のアスベスト除去機。
【請求項４】
前記制御機構１０が、開閉弁１０ａと、これを作動させるため手持ち操作部８に設けられたトリガー付きパイロット弁１０ｄを有し、トリガーの操作時のみミスト生成器１２への圧縮エアの供給が行われるようになっている請求項１〜３のいずれかに記載のアスベスト除去機。
【請求項５】
圧縮エア配管の一部にアキュームレータ１６ａが介在している請求項１〜４のいずれかに記載のアスベスト除去機。
【請求項６】
前記アキュームレータ１６ａは太径で所要長さの膨張性ホースからなる請求項５に記載のアスベスト除去機。